(57)【特許請求の範囲】
【請求項１】
固体発光素子が実装された実装基板と該実装基板を搭載し前記固体発光素子が発する熱を放熱する放熱部材とを有する光源ユニットと、該光源ユニットを設置面に対して所定の角度で保持する保持部とを備え、
前記放熱部材は、前記実装基板を搭載させるベース部と、該ベース部の前記実装基板が搭載される第１面と反対の第２面から突出する放熱板とを有し、
前記放熱板は、板状の外形形状をしており、平行に並んだ複数枚が前記ベース部に配置され、前記放熱板の先端部は、側面視において、凹凸形状をしており、凸状部が先端に向かって先細りしていることを特徴とする照明器具。
【請求項２】
前記放熱板は、側面視において、前記凸状部の先端が丸みを帯びた形状であることを特徴とする請求項１に記載の照明器具。
【請求項３】
前記放熱板は、側面視において、凹状部の底が丸みを帯びた形状であることを特徴とする請求項１または請求項２に記載の照明器具。
【請求項４】
前記放熱板は、側面視において、隣接する前記放熱板の前記凸状部の位置がずれて配置されていることを特徴とする請求項１ないし請求項３の何れか１項に記載の照明器具。
【請求項５】
前記複数枚の放熱板は、前記放熱板の先端部が、側面視において、前記凸状部を有する第１放熱板と、矩形状の第２放熱板とを備えており、
前記第２放熱板は、隣接する前記第１放熱板の間に配置されており、
さらに、前記第２放熱板は、前記ベース部から前記先端までの長さが、隣接する前記第１放熱板よりも短いことを特徴とする請求項１ないし請求項３の何れか１項に記載の照明器具。
【発明の詳細な説明】
【技術分野】
【０００１】
本発明は、照明器具に関し、特に、固体発光素子を光源とする照明器具に関する。
【背景技術】
【０００２】
近年、発光ダイオードなどの固体発光素子を光源とする照明器具が用いられている。以下では、発光ダイオードをＬＥＤ(light emitting diode)とも称する。
【０００３】
この種の照明器具は、複数のＬＥＤが実装されたＬＥＤ実装基板と、ＬＥＤから生ずる熱を放熱する放熱部と、を有する光源ユニットを備えている（たとえば、特許文献１を参照）。
【０００４】
特許文献１では、天井面に照明装置が設置された状態において、光源ユニットと天井面との間に形成された空間に放熱部としての放熱フィンが設けられている。特許文献１では、光源ユニットと天井面との間に形成された空間に鳥類が飛来することを防止する鳥類侵入防止手段を備えている。特許文献１は、天井面に照明装置が設置された状態において効率的に放熱が行えるとともに、鳥類の糞害により生ずる外観の悪化や構成部材の腐食を抑制することができる、としている。
【先行技術文献】
【特許文献】
【０００５】
【特許文献１】特開２０１４−７８３２９号公報
【発明の概要】
【発明が解決しようとする課題】
【０００６】
ところで、照明器具は、天井面に設置される場合だけでなく、光源ユニットを設置面に対して所定の角度で保持する保持部を備えることで、スタジアムの照明における投光器台など種々の場所に設置できるようにすることも考えられる。照明器具は、天井面との間に鳥類侵入防止手段を備えることができないような場合、鳥類の糞害により、放熱板たる放熱フィンの放熱性能が低下してＬＥＤの信頼性が低下する虞もある。
【０００７】
そのため、照明器具では、比較的簡単な構成で、より信頼性の高い構成が求められており、上述の特許文献１の構成だけでは十分ではなく、更なる改良が求められている。
【０００８】
本発明は上記事由に鑑みて為されたものであり、その目的は、比較的簡単な構成で、より信頼性の高い照明器具を提供することにある。
【課題を解決するための手段】
【０００９】
本発明の照明器具は、光源ユニットと、保持部とを備えている。上記光源ユニットは、固体発光素子と実装基板と放熱部材とを有している。上記実装基板は、上記固体発光素子が実装されている。上記放熱部材は、上記実装基板を搭載している。上記放熱部材は、上記固体発光素子が発する熱を放熱することができるように構成されている。上記保持部は、上記光源ユニットを設置面に対して所定の角度で保持することができるように構成されている。上記放熱部材は、ベース部と、放熱板とを有している。上記ベース部は、上記実装基板を搭載させることができるように構成されている。上記放熱板は、上記ベース部の上記実装基板が搭載される第１面と反対の第２面から突出している。上記放熱板は、板状の外形形状をしている。上記放熱板は、平行に並んだ複数枚が上記ベース部に配置されている。上記放熱板の先端部は、側面視において、凹凸形状をしており、凸状部が先端に向かって先細りしていることを特徴とする。
【発明の効果】
【００１０】
本発明の照明器具は、比較的簡単な構成で、より信頼性を高くすることができる、という効果がある。
【図面の簡単な説明】
【００１１】
【図１】実施形態の照明器具を示す斜視図である。
【図２】実施形態の照明器具を示す左側面図である。
【図３】実施形態の照明器具を示す正面図である。
【図４】実施形態の照明器具の一部を省略した背面図である。
【図５】実施形態の照明器具の要部を説明する背面側の斜視図である。
【図６】実施形態の照明器具に用いられる光源ユニットを示す分解斜視図である。
【図７】実施形態の照明器具の他の要部を示す正面図である。
【図８】実施形態の照明器具の他の要部を示す背面図である。
【図９】実施形態の照明器具の他の要部を示す平面図である。
【図１０】実施形態の照明器具の他の要部を示す左側面図である。
【図１１】実施形態の照明器具の別の要部を示す側面図である。
【図１２】実施形態の照明器具の変形例１の要部を示す側面図である。
【図１３】実施形態の照明器具の変形例２の要部を示す側面図である。
【図１４】実施形態の照明器具の変形例３の要部を示す側面図である。
【図１５】実施形態の照明器具の変形例３の要部を示す斜視図である。
【図１６】実施形態の照明器具の別の要部を示す正面図である。
【図１７】実施形態の照明器具の別の要部を示す背面図である。
【図１８】実施形態の照明器具の別の要部を示す側面図である。
【図１９】実施形態の照明器具の更に別の要部を示す正面図である。
【図２０】実施形態の照明器具の更に別の要部を示す背面図である。
【図２１】実施形態の照明器具の更に別の要部を示す側面図である。
【発明を実施するための形態】
【００１２】
以下では、本実施形態の照明器具２００について、図１ないし図５を参照しながら説明し、図６ないし図２１を参照しながら照明器具２００および照明器具２００に用いられる光源ユニット１について説明する。図中において、同じ部材に対しては、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１３】
本実施形態の照明器具２００は、図１ないし図３に示すように、光源ユニット１と、保持部９とを備えている。光源ユニット１は、図６に示すように、固体発光素子たるＬＥＤ２０と実装基板２１と放熱部材３とを有している。実装基板２１は、ＬＥＤ２０が実装されている。放熱部材３は、実装基板２１を搭載している。放熱部材３は、ＬＥＤ２０が発する熱を放熱することができるように構成されている。保持部９は、光源ユニット１を設置面９ａａに対して所定の角度で保持することができるように構成されている。放熱部材３は、ベース部３０と、放熱板３２とを有している。ベース部３０は、実装基板２１を搭載させることができるように構成されている。放熱板３２は、図７ないし図１０に示すように、ベース部３０の実装基板２１が搭載される第１面３０ａａと反対の第２面３０ａｂから突出している。放熱板３２は、板状の外形形状をしている。放熱板３２は、平行に並んだ複数枚がベース部３０に配置されている。放熱板３２の先端部３２ａは、図１１に示すように、側面視において、凹凸形状をしており、凸状部３２ｂが先端に向かって先細りしている。
【００１４】
本実施形態の照明器具２００は、放熱板３２の凸状部３２ｂが先端に向かって先細りする比較的簡単な構成で、鳥類が止まりにくくなり、鳥類の糞害に伴う信頼性の低下を抑制することが可能となる。
【００１５】
最初に、本実施形態の照明器具２００に用いられる光源ユニット１について説明する。
【００１６】
光源ユニット１は、図６に示すように、ＬＥＤモジュール２と、放熱部材３とを備えている。さらに、光源ユニット１は、レンズブロック４と、取付部材５と、熱伝導シート６と、カバーブロック７とを備えている。
【００１７】
ＬＥＤモジュール２は、光源ユニット１の光源部を構成している。ＬＥＤモジュール２は、ＬＥＤ２０と、実装基板２１とを有している。ＬＥＤ２０は、たとえば、発光層に青色光が発光可能な窒化物半導体を備えたＬＥＤチップと、ＬＥＤチップから放射された青色光を吸収して黄色光を発光する蛍光体とを、パッケージに収容した構造とすることができる。ＬＥＤ２０は、ＬＥＤチップから放射された青色光と、蛍光体からの黄色光との混色により白色光を放出することができる。
【００１８】
実装基板２１は、たとえば、金属ベースプリント配線板を用いて形成することができる。実装基板２１は、たとえば、矩形状の平板の外形形状とすることができる。実装基板２１は、中央部において、円形の第１孔部２１０が貫通するように設けられている。実装基板２１は、矩形状だけに限られず、円形状でも、楕円形状でもよい。実装基板２１は、複数個のＬＥＤ２０が実装面において、２次元アレイ状に配置されている。実装基板２１は、レセプタクルコネクタ２２が実装されている。レセプタクルコネクタ２２は、実装基板２１に形成された配線用の導体を介して、ＬＥＤ２０と電気的に接続される。実装基板２１は、ＬＥＤ２０やレセプタクルコネクタ２２だけでなく、ＬＥＤ２０を電気的に保護するツェナーダイオードやＬＥＤ２０を駆動させる駆動素子を適宜に実装させていてもよい。実装基板２１の材料としては、樹脂と比較して放熱性に優れたアルミニウムなどの金属材料を主として用いることができる。実装基板２１は、金属ベースプリント配線板だけに限らず、たとえば、セラミック基板などを用いて形成してもよい。
【００１９】
放熱部材３は、図６ないし図１０に示すように、ベース部３０と、放熱板３２と、縁部３１とを備えている。放熱部材３は、たとえば、金属材料により、ベース部３０と縁部３１と放熱板３２とを一体的に形成することができる。放熱部材３の材料としては、たとえば、アルミニウム合金や銅合金などの熱伝導性に優れた金属材料を用いることができる。
【００２０】
ベース部３０は、矩形の平板状の外形形状をしている。ベース部３０は、ＬＥＤモジュール２が搭載される第１面３０ａａに複数の第１ねじ孔３００が設けられている。第１ねじ孔３００は、雌ねじを構成している。ベース部３０は、第１面３０ａａにおける隅部において、厚み方向に貫通する第１挿通孔３０１が設けられている。第１挿通孔３０１には、ケーブルグランド３３が取り付けられる。ケーブルグランド３３は、ケーブルグランド本体３３ａと、ケーブルグランド本体３３ａを覆うキャップ３３ｂと、ケーブルグランド本体３３ａおよびキャップ３３ｂをベース部３０に取り付ける取付ねじ３３ｃとを備えている。ベース部３０には、ケーブルグランド３３を介して、図１ないし図５に示す給電線２３が挿通される。ケーブルグランド３３は、挿通された給電線２３を締め付けることができるように構成されている。給電線２３は、ＬＥＤモジュール２に給電するために用いられる。
【００２１】
縁部３１は、図８に示すように、平面視が矩形状のベース部３０における辺に沿って設けられている。縁部３１は、２個設けられている。２個の縁部３１は、ベース部３０を介して、対向するように配置されている。縁部３１は、直方体状であって、ベース部３０の端縁において、ベース部３０と一体に形成されている。縁部３１は、ベース部３０の厚み方向に沿って、他の部材と結合される第１結合部３１２を備えていることが好ましい。第１結合部３１２は、第２ねじ孔により構成されている。第２ねじ孔は、雌ねじとしている。第１結合部３１２は、縁部３１の長手方向に沿って並ぶように２つ設けられている。縁部３１は、ベース部３０の厚み方向において、図９に示すように、ベース部３０の厚み寸法よりも大きく形成されている。放熱部材３は、溝部３４を備えている。溝部３４は、縁部３１と、縁部３１に隣接する放熱板３２と、隣接する縁部３１と放熱板３２との間のベース部３０とで構成されている。縁部３１は、ベース部３０の厚み方向と直交する縁部３１の長手方向に沿った第１方向において、他の部材に結合される第２結合部３１０を備えていることが好ましい。第２結合部３１０は、第３ねじ孔により構成されている。第３ねじ孔は、雌ねじとしている。第２結合部３１０は、縁部３１の長手方向の両端面にそれぞれ１つずつ設けられている。縁部３１は、図１０に示すように、ベース部３０の厚み方向と第１方向とに直交する第２方向から他の部材に結合される第３結合部３１１を備えていることが好ましい。第３結合部３１１は、縁部３１を短手方向に貫通する第４ねじ孔で構成されている。第４ねじ孔は、雌ねじとしている。第３結合部３１１は、縁部３１の長手方向に沿って、所定の間隔を空けて複数設けられている。
【００２２】
放熱板３２は、ベース部３０の第２面３０ａｂから突出している。放熱板３２は、矩形の平板状に形成することができる。放熱板３２は、ＬＥＤ２０が発する熱を効率よく放熱できるように、所定の間隔で複数枚がベース部３０に設けられている。複数枚の放熱板３２は、等間隔でベース部３０に配置されていてもよいし、隣接する放熱板３２が異なる間隔で配置されていてもよい。放熱板３２は、ベース部３０とは反対の先端部３２ａにおいて、放熱板３２の厚みが薄くなるように先細りする形状に形成されていることが好ましい。言い換えれば、放熱板３２の先端部３２ａは、先端に向かって厚み寸法を小さくすることができる。
【００２３】
ところで、光源ユニット１を備えた照明器具では、ＬＥＤ２０の光出力の向上に伴って、一般照明だけにとどまらず、道路灯やスタジアムなどで使用される投光器にまで利用され始めている。ＬＥＤ２０は、発熱により発光効率が低下する特性を備えている。また、ＬＥＤ２０は、発熱による温度上昇に伴い寿命が短くなる傾向にある。照明器具は、ＬＥＤ２０が実装された実装基板２１が、放熱部材３のベース部３０の第１面３０ａａに搭載され、第１面３０ａａと反対の第２面３０ａｂから突出する放熱板３２を有することにより、ＬＥＤ２０が発する熱を効率よく放熱させることができる。投光器のような照明器具では、光源ユニット１の光軸が水平面に沿う方向との角度を０°として、たとえば、３０°ないし４０°の角度で鉛直方向の下向きに向いて使用される場合が多い。照明器具は、発光面が鉛直方向の下を向くので、発光面と反対側に設けられた放熱板３２に、鳥類が止まりやすい傾向にある。照明器具は、放熱板３２に鳥類が止まりやすくなると、鳥類の糞害の影響が大きくなる虞がある。特に、照明器具は、投光器などとして利用される場合、メンテナンスや清掃を行うことが難しい比較的に高い位置に設置されることも多く、地面に照明器具を設置させる場合と比較して、鳥類の糞害の影響がさらに大きくなる虞がある。照明器具では、鳥類が放熱板３２に止まることを抑制するために、放熱板３２が設けられる照明器具の背面側全体を、網で覆うなどの別部品を設けることも考えられるが、構造が複雑になる傾向にある。
【００２４】
本実施形態の照明器具２００では、図１１ないし図１５に示すように、放熱板３２自体の形状を、先端部３２ａの凸状部３２ｂが先細りする特定の形状とすることにより、鳥類が止まることを抑制することが可能としている。照明器具２００では、図１１に示す放熱板３２のように、放熱板３２の先端部３２ａは、側面視において、凹凸形状をしており、凸状部３２ｂが先端に向かって先細りしている。照明器具２００は、放熱板３２の凹凸形状における凸状部３２ｂの突出量や凹状部３２ｃの窪み量を、鳥が止まりにくく、放熱性を低下させない程度に適宜に設定させればよい。放熱板３２は、側面視において、凸状部３２ｂの先端が丸みを帯びた形状であることが好ましい。照明器具２００は、凸状部３２ｂの先端が丸みを帯びた形状であることにより、照明器具２００の組立、設置や設置面９ａａに対する光源ユニット１の角度の調整時において、使用者の取り扱い性を向上させることができる。また、放熱板３２は、側面視において、凹状部３２ｃの底が丸みを帯びた形状であることが好ましい。照明器具２００は、凹状部３２ｃの底が丸みを帯びた形状であることにより、図１２に示す凹状部３２ｃの底が尖った変形例１の放熱板３２と比較して、鳥類の糞やごみが溜まり難くさせることができる。
【００２５】
図１３に示す変形例２の照明器具２００における放熱板３２は、側面視において、隣接する放熱板３２の凸状部３２ｂの位置がずれて配置されている。変形例２の照明器具２００は、隣接する放熱板３２の凸状部３２ｂの位置がずれて配置されていることにより、鳥類が放熱板３２の先端部３２ａにおいてバランスを取って止まることを、より難しくさせることができる。変形例２の照明器具２００は、隣接する放熱板３２の凸状部３２ｂの位置を、千鳥足状に交互に等間隔でずれるように配置しているが、必ずしも等間隔でずれるように配置させる必要はない。図１４および図１５に示す変形例３の照明器具２００における複数枚の放熱板３２は、放熱板３２の先端部３２ａが、側面視において、凸状部３２ｂを有する第１放熱板３６ａと、矩形状の第２放熱板３６ｂとを備えている。第２放熱板３６ｂは、隣接する第１放熱板３６ａの間に配置されている。さらに、第２放熱板３６ｂは、ベース部３０ａから先端までの長さが、隣接する第１放熱板３６ａよりも短い。変形例３の照明器具２００は、特定形状の第１放熱板３６ａと、特定形状の第２放熱板３６ｂとを備えることにより、鳥類が放熱板３２の先端部３２ａにおいてバランスを取って止まることを、より難しくさせることができる。
【００２６】
また、照明器具２００の放熱板３２は、厚み方向において、先端部３２ａにおける矩形状の角部が丸みを帯びた形状とされていてもよい。言い換えれば、放熱板３２は、先端の角をとって丸くさせたようなラウンド形状とすることができる。照明器具２００は、先端部３２ａが丸みを帯びた形状であることにより、照明器具２００の組立、設置や設置面９ａａに対する光源ユニット１の角度の調整時において、使用者の取り扱い性をさらに向上させることができる。
【００２７】
さらに、放熱板３２は、板状の放熱板３２の片面側にエッジを備えた形状とされていてもよい。照明器具２００は、放熱板３２の片面側にエッジを備えた形状とすることで、より簡単に放熱板３２を形成させることができる。放熱板３２は、ベース部３０に対する突出方向が第２面３０ａｂに対して傾斜した形状とされていてもよい。照明器具２００は、放熱板３２の突出方向が傾斜していることで、鳥類が放熱板３２の先端部３２ａにおいてバランスを取って止まることを、より難しくさせることができる。
【００２８】
また、放熱板３２は、先端部３２ａにおいて、第２面３０ａｂと平行方向に沿って突出する突出片を備えた構成としてもよい。照明器具２００は、突出片を備えることで、隣接する放熱板３２の間に鳥類の糞などの異物が進入することを抑制して、放熱性能の低下を抑制することが可能となる。すなわち、突出片は、隣接する放熱板３２とベース部３０とに囲まれた空間に異物が進入することを抑制する異物進入抑制片として機能させることができる。突出片は、平板状の外形形状に形成させることができる。突出片は、隣接する放熱板３２に近づく向きに設けられている。突出片は、放熱板３２と一体的に形成されていてもよいし、放熱板３２と別体に形成されていてもよい。照明器具２００は、放熱板３２と突出片とが別体に形成されている場合、突出片を放熱板３２にねじなどにより固定させることができる。
【００２９】
さらに、複数枚の放熱板３２は、ベース部３０から先端までの長さが、複数枚の放熱板３２のうち、隣接する放熱板３２において異なっていてもよい。照明器具２００は、隣接する放熱板３２がベース部３０からの長さが異なることがより、鳥類が放熱板３２の先端部３２ａにおいてバランスを取って止まることを、より難しくさせることができる。照明器具２００は、上述の放熱板３２の構成だけでなく、上述の放熱板３２の構成を適宜に組み合わせた構造としてもよい。放熱板３２は、ベース部３０の第２面３０ａｂから突出する突出方向だけに限られず、突出方向と垂直な方向の先端に向かって厚み寸法を小さくさせてもよい。
【００３０】
また、照明器具２００は、放熱板３２を磁性材料で形成する場合、放熱板３２に着磁させて、放熱板３２が磁性を有するように構成してもよい。さらに、照明器具２００は、放熱板３２に微弱の電流を流すことができるように構成してもよい。照明器具２００は、光源ユニット１の放熱板３２に磁性を有する構成や微弱電流を流す構成により、鳥類が放熱板３２を忌避する傾向が高まると考えられる。照明器具２００は、たとえば、６５００Ｖないし９０００Ｖの電圧が放熱板３２に印加され、０．１３Ａないし０．１６Ａの微弱電流が放熱板３２に流れることができるように構成することができる。照明器具２００は、隣接する放熱板３２の極性が異なるように、放熱板３２とベース部３０との間に電気的な絶縁性が保たれるように構成できればよい。照明器具２００は、所定の間隔でパルス的に微弱電流を放熱板３２に流すことができるように構成されていてもよい。
【００３１】
レンズブロック４は、ＬＥＤモジュール２を覆うことができるように構成されている。レンズブロック４は、図１６ないし図１８に示すように、本体４０とレンズ４１とを備えている。本体４０は、底板４００と、周壁４０１とを有している。底板４００は、矩形の平板の外形形状としている。周壁４０１は、底板４００の外周縁において、底板４００の厚み方向に沿うように突出して設けられている。底板４００には、ＬＥＤモジュール２のＬＥＤ２０と一対一に対応するように、複数のレンズ４１が２次元アレイ状に設けられている。本体４０は、底板４００の厚み方向と直交する方向に、周壁４０１から突出する引掛片４０２を備えている。引掛片４０２は、平面視において、凹形状に形成されている。引掛片４０２は、平面視において、矩形の底板４００における一辺に沿って、２つ設けられている。引掛片４０２は、底板４００における対向する２辺に設けられている。周壁４０１には、平面視において、３つの固定片４０３が設けられている。固定片４０３は、周壁４０１の端縁から突出するように構成されている。固定片４０３は、側面視において、Ｌ字状の外形形状をしている。固定片４０３は、平面視において、矩形状をしている。固定片４０３は、中央部にＣ字形状の開口部４０３ｃｃを備えている。固定片４０３は、一対の引掛片４０２の間に設けられた第１固定片４０３ａと、底板４００における引掛片４０２が設けられた辺とは直交する一辺に設けられた第２固定辺４０３ｂとを備えた構成としている。レンズブロック４は、本体４０、レンズ４１、引掛片４０２や固定片４０３が一体的に形成されている。レンズブロック４の材料は、たとえば、アクリル樹脂などの透光性を有する合成樹脂材料を用いることができる。
【００３２】
取付部材５は、図６に示すように、ＬＥＤモジュール２を覆って放熱部材３に固定できるように構成されている。取付部材５は、ＬＥＤモジュール２とレンズブロック４との間に介在される。取付部材５は、レンズブロック４を取り付けることができるように構成されている。取付部材５は、図１９ないし図２１に示すように、ベース５０と、周壁部５１と、フランジ５２と、支持部５３とを備えている。ベース５０は、矩形の平板状に形成されている。ベース５０は、平面視において、複数の凹部５００が２次元アレイ状に並ぶように形成されている。凹部５００は、平面視において、矩形状に形成されている。凹部５００は、第１凹部５００ａ、第２凹部５００ｂや第３凹部５００ｃを有している。第１凹部５００ａは、ＬＥＤ２０と一対一に対応するように、複数個設けられている。第１凹部５００ａには、中央部に円形の窓孔５０１が開口している。第１凹部５００ａは、窓孔５０１を介して、ＬＥＤ２０から放射される光をレンズ４１に入射できるように構成されている。ベース５０は、平面視において、中央部に第２凹部５００ｂが形成されている。第２凹部５００ｂは、矩形状に形成されている。第２凹部５００ｂは、第１凹部５００ａの窓孔５０１よりも小径の第１ねじ挿通孔５０２を有している。ベース５０は、平面視において、対向する端縁に第３凹部５００ｃを備えている。第３凹部５００ｃは、一端縁に沿って、２つ設けられている。第３凹部５００ｃは、矩形状に形成されている。第３凹部５００ｃは、第１凹部５００ａや第２凹部５００ｂよりも小さい。第３凹部５００ｃは、矩形の開口孔５０００を有している。
【００３３】
ベース５０には、図２０に示すように、平面視において、複数の押圧部５０３が２次元アレイ状に配置されている。押圧部５０３は、ベース５０の表面から角錐台形状に突出するように形成されている。ベース５０には、厚み方向において、凹部５００と押圧部５０３とが重なるように形成されている。押圧部５０３は、第１押圧部５０３ａや第２押圧部５０３ｂを有している。第１押圧部５０３ａは、第１凹部５００ａと対応するように設けられている。第１押圧部５０３ａの中央部には、第１凹部５００ａの窓孔５０１と連通した開口が形成されている。第２押圧部５０３ｂは、第２凹部５００ｂと対応するように設けられている。第２押圧部５０３ｂの中央部には、第２凹部５００ｂの第１ねじ挿通孔５０２が貫通している。
【００３４】
周壁部５１は、平面視において、ベース５０の外周に沿って、矩形の枠状に形成されている。周壁部５１は、ベース５０の厚み方向に突出している。ベース５０は、押圧部５０３が設けられた表面から突出する周壁部５１の突出量が、凹部５００が設けられた表面から突出する周壁部５１の突出量に比べて、大きくなっている。以下では、凹部５００が設けられた表面からベース５０の厚み方向に沿って突出する周壁部５１を第１周壁部５１ａと称し、押圧部５０３が設けられた表面からベース５０の厚み方向に沿って突出する周壁部５１を第２周壁部５１ｂとも称する。第１周壁部５１ａの平坦面には、複数の円柱状の突出部５１０が設けられている。第１周壁部５１ａは、８個の突出部５１０を備えている。第１周壁部５１ａは、ベース５０の開口孔５０００と隣り合う部位に、凹所５１１が形成されている。フランジ５２は、周壁部５１の周面から全周に渡って外向きに突出するように設けられる。フランジ５２は、平面視において、四隅にそれぞれねじ挿通溝５２０が設けられている。フランジ５２は、矩形状のベース５０における４つの辺に対応する部位にも、それぞれ２つのねじ挿通溝５２０が設けられている。支持部５３は、矩形板状の外形形状をしている。支持部５３は、ベース５０における押圧部５０３が設けられた表面側から突出するように形成されている。支持部５３は、矩形の枠状のフランジ５２の対向する辺に、それぞれ２つずつ設けられている。支持部５３は、板状の先端に爪５３０を備えている。爪５３０は、三角柱状の外形形状をしている。支持部５３の爪５３０は、周壁部５１に近付く向きに突出している。取付部材５では、ベース５０と、周壁部５１と、フランジ５２と、支持部５３とを一体的に形成されている。取付部材５の材料は、たとえば、ＰＢＴ（polybutylene terephthalate）樹脂など合成樹脂材料を用いることができる。
【００３５】
熱伝導シート６は、ＬＥＤ２０が発する熱を実装基板２１から放熱部材３へ効率よく熱伝達させるために設けられている。熱伝導シート６は、矩形のシート状の外形形状に形成されている。熱伝導シート６の中央には、図６に示すように、実装基板２１の第１孔部２１０と対応するように、円形の孔６０が設けられている。熱伝導シート６は、電気絶縁性と熱伝導性に優れ、弾性力を有するエラストマー材料を用いることができる。熱伝導シート６は、たとえば、シリコーンゲルシートを使用することができる。シリコーンゲルシートは、ゲル状で架橋密度が低いシリコーン樹脂を用いて構成されている。熱伝導シート６は、シリコーン樹脂中に熱伝導性のフィラーを含有させてもよい。熱伝導シート６は、シリコーンゲルシートだけでなく、シート状のアクリル樹脂を用いてもよい。
【００３６】
カバーブロック７は、図６に示すように、カバー７０と、押さえ板７１と、シール部材７２とを備えている。カバー７０は、カバー本体７００と、外鍔７０１とを有している。カバー本体７００は、有底の角筒状の外形形状をしている。外鍔７０１は、カバー本体７００の端縁から外方に突出している。外鍔７０１は、平面視において、矩形の枠状の外形形状をしている。外鍔７０１の四隅には、円形の嵌合孔７０２が設けられている。外鍔７０１の四つの辺には、円形の第２ねじ挿通孔７０３が３つずつ所定の間隔を空けて設けられている。カバー７０は、カバー本体７００と外鍔７０１とを一体的に形成することができる。カバー７０の材料は、たとえば、ポリカーボネート樹脂などの透光性を有する合成樹脂材料を用いることができる。
【００３７】
押さえ板７１は、主片７１０と、側片７１１とを有している。主片７１０は、帯状の外形形状をしている。主片７１０は、長手方向の両端と中央部に第３ねじ挿通孔７１２が設けられている。側片７１１は、主片７１０の長手方向に沿った一端縁から主片７１０と直交する向きに延びている。押え板７１は、主片７１０と側片７１１とを一体的に形成している。押え板７１は、金属板に打ち抜き加工、折り曲げ加工を施すことにより形成することができる。押え板７１の材料としては、たとえば、ステンレスなどの金属材料を用いることができる。
【００３８】
シール部材７２は、矩形の枠状の外形形状に形成されている。シール部材７２は、カバー７０における外鍔７０１と同様の大きさに形成している。シール部材７２は、突起７２０が四隅に設けられている。突起７２０は、ボルトの外形形状と同様の形状に形成されている。シール部材７２は、第４ねじ挿通孔７２１を備えている。第４ねじ挿通孔７２１は、シール部材７２の各辺に沿って複数設けられている。シール部材７２は、たとえば、シリコーン樹脂により形成することができる。
【００３９】
次に、光源ユニット１を組み立てる手順について、説明する。
【００４０】
光源ユニット１の組立工程では、放熱部材３におけるベース部３０の第１面３０ａａに熱伝導シート６が敷かれる。組立工程では、熱伝導シート６上に、ＬＥＤモジュール２と取付部材５とが順に載せ置かれる。取付部材５は、第２周壁部５１ｂの内側にＬＥＤモジュール２が嵌め込まれる。組立工程では、取付部材５におけるねじ挿通溝５２０に挿通した第１ねじ５４を、ベース部３０の第１ねじ孔３００にねじ込むことで、取付部材５をベース部３０に固定される。ＬＥＤモジュール２は、ベース部３０に固定される取付部材５によって、熱伝導シート６を介して、放熱部材３に取り付けられる。ＬＥＤモジュール２のＬＥＤ２０は、取付部材５の窓孔５０１の位置と対応するように配置される。続いて、組立工程では、取付部材５における第３凹部５００ｃの開口孔５０００を介して、ＬＥＤモジュール２のレセプタクルコネクタ２２にプラグコネクタが接続される。組立工程では、プラグコネクタが接続されている給電線２３を、ケーブルグランド３３を介して、ベース部３０の第１挿通孔３０１に挿通させる。
【００４１】
次に、組立工程では、レンズブロック４で取付部材５を覆うように被せられる。組立工程では、取付部材５における支持部５３の爪５３０を、レンズブロック４の引掛片４０２に引っ掛けられる。組立工程では、レンズブロック４の周壁４０１が、取付部材５の周壁部５１に載せ置かれる。光源ユニット１では、取付部材５の第１周壁部５１ａに設けられた凹所５１１を介して、給電線２３がレンズブロック４の外に引き出される。レンズブロック４は、取付部材５の支持部５３によって支持される。レンズブロック４は、固定片４０３がベース部３０にねじ止めされる。組立工程では、固定片４０３のねじ止めに伴ってレンズブロック４に歪みが生じない程度に、ねじ締めのトルクが設定されている。
【００４２】
最後に、組立工程では、カバーブロック７がベース部３０に取り付けられる。カバーブロック７では、シール部材７２の突起７２０を、カバー７０の嵌合孔７０２に嵌合して、シール部材７２がカバー７０に取り付けられる。組立工程では、シール部材７２が取り付けられたカバー７０をレンズブロック４に被せられる。組立工程では、押さえ板７１をカバー７０の外鍔７０１に、押え板７１の第３ねじ挿通孔７１２と、カバー７０の第２ねじ挿通孔７０３と、シール部材７２の第４ねじ挿通孔７２１とが一致するように重ねて配置させる。カバーブロック７は、押え板７１の第３ねじ挿通孔７１２と、カバー７０の第２ねじ挿通孔７０３と、シール部材７２の第４ねじ挿通孔７２１とに第２ねじ７３が挿通される。第２ねじ７３は、ベース部３０の第１ねじ孔３００にねじ込みされる。カバーブロック７と放熱部材３とは、押え板７１とカバー７０とシール部材７２とが、第２ねじ７３によりベース部３０に固定される。光源ユニット１は、上述の組立工程により組み立てることができる。光源ユニット１では、熱伝導シート６などの他の部材を介して間接的に、放熱部材３とＬＥＤモジュール２とが接するように構成される場合だけに限られず、放熱部材３とＬＥＤモジュール２とが直接的に接するように構成してもよい。
【００４３】
次に、本実施形態の照明器具２００について、図１ないし図５を参照して説明する。
【００４４】
照明器具２００は、光源ユニット１と、保持部９とを備えている。照明器具２００は、光源ユニット１を４つ備えている。本実施形態の照明器具２００では、４つの光源ユニット１が連結部材８で一体化されている。連結部材８は、第１連結部材１０と、第２連結部材１１と、第３連結部材１２とを備えている。連結部材８は、補助連結部材８ａを有していることが好ましい。保持部９は、連結部材８で一体化された複数の光源ユニット１を保持するアーム１６により構成している。照明器具２００は、配線ボックス１５と、ワイヤ１７とを備えていることが好ましい。照明器具２００は、第１連結部材１０、第２連結部材１１および第３連結部材１２により、複数の光源ユニット１を連結しているので、比較的簡単な構成で複数の光源ユニット１の一体化を図ることができる。
【００４５】
第１連結部材１０は、帯状の主部１００と、主部１００の長手方向に沿って主部１００の厚み方向に突出する補助片１０１とを有している。主部１００と補助片１０１とは、たとえば、金属板により一体に形成することができる。主部１００と補助片１０１とは、金属板の折り曲げ加工により形成することができる。第１連結部材１０の材料としては、たとえば、ステンレスなどの金属材料を用いることができるが、金属材料だけに限られず樹脂材料により形成してもよい。第１連結部材１０は、主部１００の長手方向における端部に第１突片１０２が設けられている。第１連結部材１０は、主部１００の長手方向における中央部に、第２突片１０３が設けられている。第２突片１０３の先端は、外向きに折り曲げられている。第１連結部材１０は、第１突片１０２と第２突片１０３が、放熱部材３の縁部３１に設けられた第２結合部３１０と結合されることで２つの光源ユニット１に取り付けられる。照明器具２００では、第１突片１０２と第２突片１０３に挿通される第３ねじ１０４が、光源ユニット１の第２結合部３１０にねじ込まれている。
【００４６】
第２連結部材１１は、中央部１１０と、中央部１１０の両側に設けられた端部１１１とを備えている。第２連結部材１１は、中央部１１０と、端部１１１とで帯状の外形形状をしている。第２連結部材１１は、端部１１１に対して、中央部１１０が厚み方向に突出するように構成されており、端部１１１と中央部１１０との間で段を有している。照明器具２００は、第２連結部材１１の中央部１１０および端部１１１に挿通される第４ねじ１１２が、光源ユニット１の第３結合部３１１にねじ込まれている。第２連結部材１１の材料は、たとえば、ステンレスなどを用いることができる。第２連結部材１１は、放熱部材３の縁部３１に設けられた第３結合部３１１に結合される。第２連結部材１１は、放熱部材３の第３結合部３１１に結合されることで、２つの光源ユニット１に取り付けられる。
【００４７】
第３連結部材１２は、帯状の外形形状をしている。第３連結部材１２は、長手方向に沿って、短手方向の両端部が厚み方向に折り曲げられている。第３連結部材１２は、短手方向の両端部が厚み方向に折り曲げられることで、強度が高められている。第３連結部材１２の材料は、たとえば、ステンレスなどを用いることができる。第３連結部材１２は、図４および図８に示すように、第５ねじ１２０が放熱部材３の縁部３１に設けられた第１結合部３１２に結合されることで、４つの光源ユニット１に取り付けられる。
【００４８】
補助連結部材８ａは、アーム取付部材１３と、補強部材１４とを備えている。アーム取付部材１３は、一対設けられている。補強部材１４は、一対設けられている。アーム取付部材１３は、図５に示すように、固定部１３０と、取付部１３１と、軸受部１３２とを有している。アーム取付部材１３は、固定部１３０と、取付部１３１と、軸受部１３２とが一体的に形成されている。アーム取付部材１３は、固定部１３０と取付部１３１と軸受部１３２とを、たとえば、アルミダイカストによって形成されている。
【００４９】
固定部１３０は、光源ユニット１における縁部３１と固定することができるように構成されている。固定部１３０は、底壁１３００と、第１側壁１３０１と、第２側壁１３０２とを有している。第１側壁１３０１は、矩形平板状に形成されている。第１側壁１３０１は、底壁１３００の長手方向に沿って、底壁１３００の短手方向の一端縁から底壁１３００の厚み方向に突出するように形成されている。第２側壁１３０２は、矩形平板状の外形形状に形成されている。第２側壁１３０２は、底壁１３００の長手方向に沿って、底壁１３００の短手方向における他端縁から第１側壁１３０１と同じ向きに突出するように形成されている。固定部１３０は、底壁１３００と、第１側壁１３０１と、第２側壁１３０２とにより、角樋状の外形形状に形成されている。照明器具２００は、放熱部材３の溝部３４にアーム取付部材１３の第２側壁１３０２を嵌め合わせて取り付けることで、機械的な強度を高めることができる。
【００５０】
取付部１３１は、固定部１３０に一対設けられている。取付部１３１は、円錐台形状の外形形状をしている。取付部１３１は、固定部１３０の底壁１３００から突出するように設けられている。取付部１３１の先端部には、雌ねじが形成されている。取付部１３１は、一対の取付部１３１うち、一方のアーム取付部材１３において、目盛板１３３を有している。目盛板１３３は、図２に示すように、扇形の平板に形成されている。目盛板１３３には、設置面９ａａに対する光源ユニット１の角度を示すことができるように、目盛りが刻印されている。目盛板１３３は、一方のアーム取付部材１３における軸受部１３２の先端部に連結されている。
【００５１】
軸受部１３２は、円筒状の外形形状をしている。軸受部１３２は、一対の取付部１３１の間に配置されている。軸受部１３２は、取付部１３１と、固定部１３０の底壁１３００と繋がるように構成されている。
【００５２】
補強部材１４は、帯状の外形形状をしている。補強部材１４は、長手方向に沿って、短手方向の両端部が厚み方向に折り曲げられている。補強部材１４は、短手方向の両端部が厚み方向に折り曲げられていることで、機械的な強度を高めている。補強部材１４は、第１ボルト１４０により、取付部１３１に取り付けられることができるように構成されている。補強部材１４の材料としては、たとえば、ステンレスなどの金属材料を用いることができる。
【００５３】
配線ボックス１５は、矩形箱状の外形形状に形成されている。配線ボックス１５は、内部に中継用の端子台が収納されている。配線ボックス１５では、外から引き込まれる電源ケーブルと、光源ユニット１の給電線２３とを端子台により結線できるように構成されている。上記電源ケーブルは、配線ボックス１５の外に設置された電源装置と接続される。照明器具２００は、電源装置から配線ボックス１５の端子台を介して光源ユニット１に電力が供給される。照明器具２００は、配線ボックス１５の外に電源装置を設置する構造だけには限られず、配線ボックス１５の内部に電源装置を収納するように構成する構造でもよい。配線ボックス１５の材料としては、たとえば、ステンレスなどの金属材料を用いることができる。
【００５４】
保持部９は、固定板１６０と、立ち上げ片１６１と、支持片１６２とを備えたアーム１６により構成されている。保持部９は、光源ユニット１を設置面９ａａに対して所定の角度で保持できる構成であればよく、アーム１６により構成される構造だけには限られない。固定板１６０は、平板状の外形形状をしている。固定板１６０は、設置面９ａａに固定させるために用いられる。固定板１６０は、中心部に円形の固定孔が貫通されている。固定板１６０は、固定孔を中心とする半円弧状の長孔１６００が図１に示すように設けられている。固定板１６０は、固定孔に挿通される第２ボルトと、長孔１６００に挿通される第３ボルトとで固定板１６０が設置面９ａａとなる投光器台などに固定される。立ち上げ片１６１は、固定板１６０の端部から立ち上がるように設けられている。立ち上がり片１６１は、固定板１６０を介して、対向するように、一対設けられている。支持片１６２は、固定板１６０から立ち上がる立ち上がり片１６１の先端から延びるように設けられている。
【００５５】
アーム１６は、固定板１６０と立ち上げ片１６１と支持片１６２とを一体的に形成している。アーム１６の材料としては、たとえば、ステンレスなどの金属材料を用いて形成することができる。アーム１６は、金属板の打ち抜き加工、折り曲げ加工を施すことにより形成することができる。アーム１６は、固定板１６０の長孔１６００に挿通される第３ボルトを緩めることで、アーム１６に保持された光源ユニット１の向きを、水平方向に沿って適宜に変更させることができるように構成されている。
【００５６】
照明器具２００では、支持片１６２に挿通した第４ボルト１６３が、アーム取付部材１３の軸受部１３２にねじ込まれる。照明器具２００では、第４ボルト１６３が軸受部１３２に固定されることで、連結部材８により連結された４つの光源ユニット１を保持部９で回転可能に保持することができる。照明器具２００は、アーム取付部材１３に設けられた目盛板１３３により、第４ボルト１６３を中心として、設置面９ａａに対する光源ユニット１の角度を示すことができる。照明器具２００は、レバー３７を回転させることで、設置面９ａａに対して光源ユニット１を所定の角度に変えることができるように構成されている。
【００５７】
以下では、本実施形態の照明器具２００における組立工程ついて説明する。
【００５８】
照明器具２００の組立工程では、４つの光源ユニット１のうちの２つの光源ユニット１が、第１連結部材１０で連結される。続いて、照明器具２００の組立工程では、アーム取付部材１３の固定部１３０と、光源ユニット１における放熱部材３の縁部３１とを嵌め合わせられる。照明器具２００の組立工程では、第２連結部材１１の中央部１１０とアーム取付部材１３の固定部１３０との位置を合わせるように、第２連結部材１１が固定部１３０と縁部３１とに重なるように配置される。照明器具２００では、第２連結部材１１の端部１１１と、放熱部材３の縁部３１における第３結合部３１１とがねじ止めされる。照明器具２００では、固定部１３０の第１側壁１３０１と、第２連結部材１１の中央部１１０とが、縁部３１の第３結合部３１１にねじ止めされる。照明器具２００では、第１連結部材１０で連結された２つの光源ユニット１の組同士が、第２連結部材１１によって連結される。照明器具２００は、第１連結部材１０および第２連結部材１１で４つの光源ユニット１が連結されて一体化される。照明器具２００は、図４に示すように、連結された４つの光源ユニット１の第１結合部３１２と、第３連結部材１２とが結合される。照明器具２００では、４つの光源ユニット１を第１連結部材１０および第２連結部材１１だけでなく、第３連結部材１２で連結することにより、光源ユニット１を連結する機械的強度を高めることができる。
【００５９】
次に、照明器具２００の組立工程では、第１ボルト１４０により、補強部材１４と、アーム取付部材１３における取付部１３１とが固定される。続いて、照明器具２００の組立工程では、補強部材１４に配線ボックス１５が取り付けられる。照明器具２００では、配線ボックス１５が補強部材１４に取り付けられた後、アーム取付部材１３の取付部１３１に補強部材１４を取り付けるようにして組み立てられても構わない。照明器具２００の組立工程では、配線ボックス１５を補強部材１４に取り付けた後、電源ケーブルや給電線２３の結線作業が行われる。最後に、照明器具２００の組立工程では、支持片１６２に挿通した第４ボルト１６３を、アーム取付部材１３の軸受部１３２に設けられている第５ねじ孔にねじ込むことで、アーム１６とアーム取付部材１３とが取り付けられる。
【００６０】
本実施形態の照明器具２００は、投光器台の設置面９ａａに設置される場合、図１および図２に示すように、金属製のワイヤ１７の両端を第２連結部材１１の中央部１１０にねじ止めすることが好ましい。ワイヤ１７は、設置面９ａａに固定したワイヤ受け１８に支持させていることが好ましい。照明器具２００では、アーム１６が投光器台などの設置面９ａａから外れた場合でも、ワイヤ１７がアーム１６を支持することで照明器具２００の落下が防止される。
【符号の説明】
【００６１】
１  光源ユニット
３  放熱部材
９  保持部
９ａａ  設置面
２０  ＬＥＤ（固体発光素子）
２１  実装基板
３０  ベース部
３０ａａ  第１面
３０ａｂ  第２面
３２  放熱板
３２ａ  先端部
３２ｂ  凸状部
３２ｃ  凹状部
３６ａ  第１放熱板
３６ｂ  第２放熱板
２００  照明器具
【図１】
0006340729.tif 000002
【図２】
0006340729.tif 000003
【図３】
0006340729.tif 000004
【図４】
0006340729.tif 000005
【図５】
0006340729.tif 000006
【図６】
0006340729.tif 000007
【図７】
0006340729.tif 000008
【図８】
0006340729.tif 000009
【図９】
0006340729.tif 000010
【図１０】
0006340729.tif 000011
【図１１】
0006340729.tif 000012
【図１２】
0006340729.tif 000013
【図１３】
0006340729.tif 000014
【図１４】
0006340729.tif 000015
【図１５】
0006340729.tif 000016
【図１６】
0006340729.tif 000017
【図１７】
0006340729.tif 000018
【図１８】
0006340729.tif 000019
【図１９】
0006340729.tif 000020
【図２０】
0006340729.tif 000021
【図２１】
0006340729.tif 000022